(57)【特許請求の範囲】
【請求項１】
上位装置に対して複数の無線部がカスケード接続される無線システムにおいて、
前記上位装置は、
前記カスケード接続された無線部毎に、前記カスケード接続における接続位置を示す段情報と、当該無線部の識別情報と、当該無線部のＩＰアドレスとを対応付けて記憶する記憶手段と、
前記記憶手段の記憶内容に基づき、前記カスケード接続の上位装置側から順に、各無線部に対する通信接続の確立要求を送信する接続要求送信手段と、
前記確立要求に基づいて通信接続が確立された無線部から、当該無線部の識別情報及びＩＰアドレスを含む接続情報を受信する接続情報受信手段と、
前記接続情報に含まれる識別情報及びＩＰアドレスと、前記記憶手段の記憶内容とが整合するかを判定する判定手段と、
を備えたことを特徴とする無線システム。
【請求項２】
上位装置に対して複数の無線部がカスケード接続される無線システムにおいて、
前記上位装置は、
前記カスケード接続された無線部毎に、前記カスケード接続における接続位置を示す段情報と、当該無線部の識別情報と、当該無線部のＩＰアドレスとを対応付けて記憶する記憶手段と、
前記記憶手段の記憶内容に基づき、前記カスケード接続における上位装置側から順に、各無線部に対する通信接続の確立要求を送信する接続要求送信手段と、
前記確立要求に基づいて通信接続が確立された無線部から、当該無線部の識別情報及びＩＰアドレスを含む接続情報を受信する接続情報受信手段と、
前記接続情報に含まれる識別情報及びＩＰアドレスと、前記記憶手段の記憶内容とが整合するかを判定する判定手段と、
前記判定手段により不整合と判定された場合に、前記接続情報に含まれる識別情報とＩＰアドレスとを対応付けた内容に前記記憶手段を更新する対応付け更新手段と、
を備えたことを特徴とする無線システム。
【請求項３】
上位装置に対して複数の無線部がカスケード接続される無線システムにおいて、
前記上位装置は、
前記カスケード接続された無線部毎に、前記カスケード接続における接続位置を示す段情報と、当該無線部の識別情報と、当該無線部のＩＰアドレスと、当該無線部との通信が可能な状態か否かを示す状態情報とを対応付けて記憶する記憶手段と、
前記記憶手段の記憶内容に基づき、前記カスケード接続された各無線部に対する通信接続の確認要求を送信する接続確認要求送信手段と、
前記確認要求が送信された無線部から、当該確認要求に対する接続応答を受信する接続応答受信手段と、
前記確認要求が送信された無線部からの接続応答がない場合に、前記記憶手段の記憶内容に基づき、前記接続応答がない無線部及び当該無線部より下位の接続位置の各無線部に対する通信接続の切断要求を送信する切断要求送信手段と、
前記接続応答がない無線部及び当該無線部より下位の接続位置の各無線部について、
通信が不可能な状態を示す内容に前記記憶手段を更新する状態情報更新手段と、
を備えたことを特徴とする無線システム。
【発明の詳細な説明】
【技術分野】
【０００１】
本発明は、上位装置（無線基地局装置等）から分離した無線部がカスケード接続された無線システムに関し、特に、上位装置によるシステム構成の管理方法に関する。
【背景技術】
【０００２】
従来、上位装置と各無線部がカスケード接続されたシステムにおける各無線部の情報設定は、以下のようにして実施されていた。
すなわち、例えば、上位装置のリセットを契機に情報設定が行われ、無線部は、上位装置からリセット信号を受信した時、又は自無線部宛の割当情報が未だ設定されていない時、配下の無線部からの上り信号を止めると同時に自無線部の固有情報を含む上り信号を上位装置へ送出する。該固有情報に応答して上位装置から受信した下り信号の中に該割当情報を検出した時には、自無線部において該割当情報を設定し、下流の無線部からの上り信号を疎通させる。
【０００３】
また、上位装置から分離した無線部がカスケード接続された無線システムの適用例として、無線通信用のアンテナを備えた光伝送装置の子機を不感地帯の各所に設置し、各子機と光ケーブルにより接続された光伝送装置の親機を無線基地局に接続した光伝送装置システムを構築することで、無線基地局からの電波が届かないビル内部や地下通路等の不感地帯に各移動局がある場合であっても無線通信できるようにすることが行われている。
【０００４】
このような光伝送装置システムに関し、特許文献１には、光伝送装置の親機に通信可能に接続された制御装置（遠隔監視装置等）からの要求により、光伝送装置の親機及び子機の側から制御装置へ子機の接続状態を通知させることや、制御装置において入力された構成情報管理テーブルに基づいて光伝送装置の親機及び子機に対する設定を行うこと等が開示されており、光伝送装置の親機及び子機に対する情報設定を自律的に行うことで、親機及び子機の設置時における設定作業のオペレーションミスを防ぐとともに、設定作業の簡易化が図られている。なお、光伝送装置の親機に複数の接続ポートを設け、各ポートにそれぞれ複数の子機を直列にカスケード接続させることもできる。
【先行技術文献】
【特許文献】
【０００５】
【特許文献１】特開２００９−１５９３４５号公報
【発明の概要】
【発明が解決しようとする課題】
【０００６】
本発明は、上位装置に対して複数の無線部がカスケード接続される無線システムに関し、上位装置によりシステム構成の管理を効果的に行えるようにすることを目的とする。
【課題を解決するための手段】
【０００７】
本発明では、上位装置に対して複数の無線部がカスケード接続される無線システムを次のような構成とした。
すなわち、第１構成例として、前記上位装置は、前記カスケード接続された無線部毎に、前記カスケード接続における接続位置を示す段情報と、当該無線部の識別情報と、当該無線部のＩＰアドレスとを対応付けて記憶する記憶手段と、前記記憶手段の記憶内容に基づき、前記カスケード接続の上位装置側から順に、各無線部に対する通信接続の確立要求を送信する接続要求送信手段と、前記確立要求に基づいて通信接続が確立された無線部から、当該無線部の識別情報及びＩＰアドレスを含む接続情報を受信する接続情報受信手段と、前記接続情報に含まれる識別情報及びＩＰアドレスと、前記記憶手段の記憶内容とが整合するかを判定する判定手段と、を備えた。
また、第２構成例として、前記上位装置に、第１構成例に示した各手段に加え、前記判定手段により不整合と判定された場合に、前記接続情報に含まれる識別情報とＩＰアドレスとを対応付けた内容に前記記憶手段を更新する対応付け更新手段を備えた。
【０００８】
また、第３構成例として、前記上位装置は、前記カスケード接続された無線部毎に、前記カスケード接続における接続位置を示す段情報と、当該無線部の識別情報と、当該無線部のＩＰアドレスと、当該無線部との通信が可能な状態か否かを示す状態情報とを対応付けて記憶する記憶手段と、前記記憶手段の記憶内容に基づき、前記カスケード接続された各無線部に対する通信接続の確認要求を送信する接続確認要求送信手段と、前記確認要求が送信された無線部から、当該確認要求に対する接続応答を受信する接続応答受信手段と、前記確認要求が送信された無線部からの接続応答がない場合に、前記記憶手段の記憶内容に基づき、前記接続応答がない無線部及び当該無線部より下位の接続位置の各無線部に対する通信接続の切断要求を送信する切断要求送信手段と、前記接続応答がない無線部及び当該無線部より下位の接続位置の各無線部について、通信が不可能な状態を示す内容に前記記憶手段を更新する状態情報更新手段と、を備えた。
【発明の効果】
【０００９】
本発明は、上位装置に対して複数の無線部がカスケード接続される無線システムに関し、上位装置によりシステム構成の管理を効果的に行えるようになる。
【図面の簡単な説明】
【００１０】
【図１】本発明の一実施形態に係る無線システムの構成を例示する図である。
【図２】システム構成管理テーブルの設定例を示す図である。
【図３】動作例１に係る上位装置の起動時の処理シーケンスを例示する図である。
【図４】動作例１に係る上位装置の起動時のシステム構成管理処理部の処理フローを例示する図である。
【図５】動作例２に係る上位装置の起動時の処理シーケンスを例示する図である。
【図６】動作例２に係る上位装置の起動時のシステム構成管理処理部の処理フローを例示する図である。
【図７】動作例３に係る上位装置の起動時の処理シーケンスを例示する図である。
【図８】動作例３に係る上位装置の起動時のシステム構成管理処理部の処理フローを例示する図である。
【図９】動作例４に係るシステム運用中の処理シーケンスを例示する図である。
【図１０】動作例５に係るシステム運用中の処理シーケンスを例示する図である。
【図１１】動作例６に係るシステム運用中の処理シーケンスを例示する図である。
【発明を実施するための形態】
【００１１】
本発明の一実施形態について図面を参照して説明する。
図１には、本発明の一実施形態に係る無線システムの構成例を示してある。
本例の無線システムは、上位装置１と上位装置１から分離された複数の無線部２とを有しており、上位装置１に対して複数の無線部２がカスケード接続された構成となっている。本例では、上位装置１側から順に、無線部２（＃１）、無線部２（＃２）、無線部２（＃３）、・・・、無線部２（＃ｎ）のｎ個の無線部２がケーブル等により直列に接続される。各無線部２は、無線通信を行う機能に加え、上位側（上位装置１側）からの信号を下位側（無線部２（＃ｎ）側）へ中継する機能や、下位側からの信号を上位側へ中継する機能を有しており、互いに直列に接続されている。
【００１２】
このような構成の無線システムは、例えば、無線基地局からの電波が届かないトンネル内部等の不感地帯における無線通信の実現などのために用いられる。
より具体的には、例えば、上位装置１として、トンネル外部に設置された無線基地局や当該無線基地局に接続された光伝送装置の親機が用いられ、無線部２として、当該親機を基点にトンネル内部に配された光ケーブルを介して当該親機に接続された光伝送装置の子機が用いられる。すなわち、不感地帯であるトンネル内部の複数の地点に無線機能を有する子機を設置し、トンネル外部の無線基地局と親機及び光ケーブルを介して通信可能に接続することで、無線通信が可能な範囲をトンネル内部にまで拡大する。
【００１３】
図１では、無線部２（＃１）及び無線部２（＃２）までが上位装置１との通信が可能な状態となっており、無線部２（＃３）以降（無線部２（＃３）〜無線部２（＃ｎ））については上位装置１との通信が不可能な状態となっている。
なお、通信が不可能な状態は、ケーブルが未接続である等の物理的な原因や、論理的な通信接続（以下、リンク接続という）が未確立である等のソフトウェア的な原因により生ずる。
【００１４】
本例の上位装置１は、無線システムの構成情報を記憶するシステム構成管理テーブル１１と、各無線部２との接続状態等のやり取りを基に、システム構成管理テーブル１１の記憶内容の管理に係る処理を行うシステム構成管理処理部１２と、を有する。
【００１５】
図２には、システム構成管理テーブル１１の設定例を示してある。
本例のシステム構成管理テーブル１１は、カスケード接続された無線部２毎に、その無線部２に関する無線部データを記憶（保持）している。無線部データは、「段」、「ＩＰ」、「ＩＤ」、「状態」の項目を有する。
「段」には、カスケード接続における接続位置（段）を示す段情報が設定される。
「ＩＰ」には、無線部２に割り当てられたＩＰアドレスが設定される。無線部２との通信は、ＩＰアドレスを用いて行われる。
「ＩＤ」には、無線部２の識別情報であるＩＤ（論理番号）が設定される。
「状態」には、無線部２との通信が可能な状態か否かを示す状態情報が設定される。本例では、通信が可能な状態を表す“接続”、通信が不可能な状態を示す“未接続”のいずれかが設定される。例えば、規格（ＣＰＲＩ  Ｓｐｅｃ．２．０）で定められた状態値（ＣＰＲＩ  Ｓｔａｔｅ）において、Ａ（Ｓｔａｎｄｂｙ）、Ｂ（Ｌ１  ｓｙｎｃｈｒｏｎｉｚａｔｉｏｎ）、Ｃ（Ｐｒｏｔｏｃｏｌ  ｓｅｔｕｐ）、Ｄ（Ｃ＆Ｍ  ＰｌａｎｅＳｅｔｕｐ）、Ｅ（Ｖｅｎｄｅｒ  ｎｅｇｏｔｉａｔｉｏｎ）の場合に“未接続”が設定され、Ｆ（Ｏｐｅｒａｔｉｏｎ）の場合に“接続”が設定される。
【００１６】
すなわち、本例のシステム構成管理テーブル１１は、カスケード接続された無線部２毎に、カスケード接続の段情報と、無線部２のＩＰアドレスと、無線部２のＩＤと、無線部２の状態情報とを対応付けた無線部データを記憶している。
システム構成管理処理部１２は、後述の動作例で説明するように、各無線部２とのやり取りを基に、システム構成管理テーブル１１中の無線部データの更新や追加等を行う。
【００１７】
このように、本例の上位装置１では、無線システムを稼動させた状態で、実際のシステム構成と一致する状態をシステム構成管理テーブル１１及びシステム構成管理処理部１２により管理できるようにしている。
【００１８】
以下、本例の無線システムの動作例を説明する。
（動作例１）
上位装置１の起動時の動作例について説明する。
初回起動時のシステム構成管理テーブル１１は、図２（ａ）に例示するような設定内容となっているものとする。すなわち、上位装置１の初回起動時においては、初期値として、各段の無線部データの「ＩＰ」及び「ＩＤ」には、その段に接続される予定の無線部２のＩＰアドレス及びＩＤが設定されており、各段の無線部データの「状態」には、“未接続”が設定されている。
【００１９】
図３には、上位装置１の起動時における処理シーケンスを例示してある。
上位装置１の起動後、本例の無線システムでは以下のような処理が行われる。
まずは、システム構成管理テーブル１１の記憶内容と実際のシステム構成とが整合している（各段のＩＰアドレスとＩＤの対応が一致している）と仮定して説明する。
【００２０】
上位装置１では、システム構成管理処理部１２が、システム構成管理テーブル１１を参照し、カスケード接続の段数順にリンク接続を開始する。すなわち、システム構成管理処理部１２は、カスケード接続における上位側（上位装置１側）の段から順に、該当する無線部データに基づいて、その段の無線部２に対するリンク接続の確立を要求する接続確立要求を送信する。接続確立要求は、該当する無線部データの「ＩＰ」に設定されているＩＰアドレスに宛てて送信される。接続確立要求に基づいてリンク接続が確立した無線部２（接続確立要求で指定されたＩＰアドレスの無線部２）からは、その無線部２に記憶（保持）されているＩＰアドレス及びＩＤを含む接続情報が上位装置１に対して送信される。
【００２１】
上位装置１のシステム構成管理処理部１２は、接続情報の受信を接続確立要求の送信から一定時間待機しており、この待機時間内に接続情報を受信すると、当該接続情報に含まれるＩＰアドレス及びＩＤと接続確立要求の送信に際して参照した無線部データの内容（「ＩＰ」及び「ＩＤ」の設定値）とが整合するか（ＩＰアドレスとＩＤの対応が一致するか）を判定し、これらの整合性を確認した後に、当該無線部データの「状態」の設定値を“接続”に更新する。
その後、システム構成管理テーブル１１における次の段の無線部データに基づいて同様のやり取りを行い、これをシステム構成管理テーブル１１における最後の段の無線部データまで繰り返す。
【００２２】
ここで、上位側（上位装置１側）の段に位置する２つの無線部２（＃１）及び無線部２（＃２）とのリンク接続の確立に成功する一方で、それより下位の段に位置する無線部２（＃３）〜無線部２（＃ｎ）とのリンク接続の確立に失敗したとする。
この場合、図２（ｂ）に例示するように、リンク接続の確立が成功した無線部２（＃１）及び無線部２（＃２）からは接続情報が得られるので、無線部２（＃１）及び無線部２（＃２）に係る無線部データの「状態」が“接続”に更新される一方、リンク接続の確立が失敗した無線部２（＃３）〜無線部２（＃ｎ）からは接続情報が得られないため、無線部２（＃３）〜無線部２（＃ｎ）に係る無線部データの「状態」は“未接続”のままとなる。
【００２３】
無線部データの「状態」が“未接続”の無線部２（本例では無線部２（＃３）〜無線部２（＃ｎ））については、定期的に上記の処理が繰り返され、リンク接続の確立が成功して接続情報が得られた段階で、その無線部２に係る無線部データの「状態」が“接続”に更新される。
【００２４】
なお、システム構成管理テーブル１１の記憶内容と実際のシステム構成とが整合しているとは限られないので、本例のシステム構成管理処理部１２では、無線部２からの接続情報により把握される実際のシステム構成とシステム構成管理テーブル１１の記憶内容との整合性を判定し、不整合と判定された場合には、受信した接続情報の内容（実際のシステム構成）に整合するようにシステム構成管理テーブル１１の記憶内容を更新する処理も行うようにしている。
これらの処理を、図４に例示する処理フローを参照して説明する。
【００２５】
図４には、上位装置１の起動時におけるシステム構成管理処理部１２の処理フローを例示してある。
上位装置１の起動時において、システム構成管理処理部１２は、システム構成管理テーブル１１を参照して、カスケード接続における上位側（上位装置１側）の段から順に以下の処理を行う（ステップＳ１１）。
まず、該当段の無線部データに基づいて、その段の無線部２に対するリンク接続の確立を要求する接続確立要求を送信し（ステップＳ１２）、該当する無線部２とのリンク接続の確立を行い（ステップＳ１３）、リンク接続が確立した無線部２から送信される接続情報を受信する（ステップＳ１４）。
【００２６】
システム構成管理処理部１２は、該当する無線部２から接続情報を受信すると、当該接続情報に含まれるＩＰアドレス及びＩＤと接続確立要求の送信に際して参照した無線部データの内容（「ＩＰ」及び「ＩＤ」の設定値）とが整合するか（ＩＰアドレスとＩＤの対応が一致するか）を判定する（ステップＳ１５）。
ステップＳ１５において整合すると判定された場合には、該当する無線部データの「状態」を“接続”に更新して、次の段の処理へと移る（ステップＳ２０）。
一方、ステップＳ１５において整合しないと判定された場合には、該当する無線部２に対して接続情報要求を送信して（ステップＳ１６）、当該無線部２から接続情報を受信し直す（ステップＳ１７）。
【００２７】
システム構成管理処理部１２は、該当する無線部２から接続情報を受信し直すと、当該接続情報に含まれるＩＰアドレス及びＩＤと該当する無線部データの内容とが整合するかを再度判定する（ステップＳ１８）。
ステップＳ１８において整合すると判定された場合には、該当する無線部データの「状態」を“接続”に更新して、次の段の処理へと移る（ステップＳ２０）。
一方、ステップＳ１８においても整合しないと判定された場合には、受信し直した接続情報に含まれるＩＰアドレスとＩＤとを対応付けた内容に、該当する無線部データの「ＩＰ」及び「ＩＤ」の設定値を更新する（ステップＳ１９）。また、当該無線部データの「状態」の設定値を“接続”に更新して、次の段の処理へと移る（ステップＳ２０）。
【００２８】
なお、接続情報の応答が得られなかった無線部データについては、当該無線部データの「状態」は“未接続”のままとなる。
ここで、本例では、無線部２の動作に不具合が生じた場合等を考慮して整合性の判定を二重に行っているが、整合性の判定を一度だけにしてもよい。
【００２９】
以上のように、本例では、上位装置１が、カスケード接続された無線部２毎に、カスケード接続における接続位置（段）を示す段情報と、当該無線部２のＩＤと、当該無線部２のＩＰアドレスとを対応付けて記憶するシステム構成管理テーブル１１を有し、システム構成管理テーブル１１の記憶内容に基づいて、カスケード接続の上位側から順に、各無線部２に対するリンク接続の接続確立要求を送信し、当該接続確立要求に基づいてリンク接続が確立された無線部２から接続情報を受信し、当該接続情報に含まれるＩＤ及びＩＰアドレスとシステム構成管理テーブル１１の記憶内容とが整合するかを判定するようにした。
【００３０】
また、リンク接続が確立された無線部２から送信された接続情報に含まれるＩＤ及びＩＰアドレスとシステム構成管理テーブル１１の記憶内容とが不整合と判定された場合には、当該接続情報に含まれるＩＤとＩＰアドレスとを対応付けた内容にシステム構成管理テーブル１１を更新するようにした。
【００３１】
（動作例２）
上位装置１の起動時の動作例について説明する。
初回起動時のシステム構成管理テーブル１１は、図２（ａ）に例示するような設定内容となっているものとする。すなわち、上位装置１の初回起動時においては、初期値として、各段の無線部データの「ＩＰ」及び「ＩＤ」には、その段に接続される予定の無線部２のＩＰアドレス及びＩＤが設定されており、各段の無線部データの「状態」には、“未接続”が設定されている。
【００３２】
図５には、上位装置１の起動時における処理シーケンスを例示してある。
上位装置１の起動後、本例の無線システムでは以下のような処理が行われる。
まずは、システム構成管理テーブル１１の記憶内容と実際のシステム構成とが整合している（各段のＩＰアドレスとＩＤの対応が一致している）と仮定して説明する。
【００３３】
上位装置１では、システム構成管理処理部１２が、システム構成管理テーブル１１を参照し、全ての段の無線部２について一斉にリンク接続を開始する。すなわち、システム構成管理処理部１２は、カスケード接続の全ての段の無線部データに基づいて、全ての段の無線部２に対するリンク接続の確立を要求する接続確立要求を送信する。接続確立要求に基づいてリンク接続が確立した無線部２からは、その無線部２に記憶（保持）されているＩＰアドレス及びＩＤを含む接続情報が上位装置１に対して送信される。
【００３４】
上位装置１のシステム構成管理処理部１２は、接続情報の受信を接続確立要求の送信から一定時間待機しており、この待機時間内に接続情報を受信すると、当該接続情報に含まれるＩＰアドレス（或いはＩＤ）が設定された無線部データをシステム構成管理テーブル１１から検索し、当該接続情報に含まれるＩＰアドレス及びＩＤと当該検索された無線部データの内容（「ＩＰ」及び「ＩＤ」の設定値）とが整合するか（ＩＰアドレスとＩＤの対応が一致するか）を判定し、これらの整合性を確認した後に、当該無線部データの「状態」の設定値を“接続”に更新する。これらの処理を、受信した全ての接続情報について繰り返す。
【００３５】
なお、カスケード接続における上位側（上位装置１側）の段から順にリンク接続が確立されるので、各無線部２からの接続情報も同様に上位側の段から順に送信されることになる。そこで、上位装置１において、接続情報を受信した順序に基づいて、当該接続情報の送信元である無線部２がカスケード接続の何段目に位置しているかを特定し、当該段の無線部データと受信した接続情報とが整合するかを判定し、これらの整合性を確認した後に当該無線部データの「状態」の設定値を“接続”に更新するようにしてもよい。
【００３６】
ここで、上位側（上位装置１側）の段に位置する２つの無線部２（＃１）及び無線部２（＃２）とのリンク接続の確立に成功する一方で、それより下位の段に位置する無線部２（＃３）〜無線部２（＃ｎ）とのリンク接続の確立に失敗したとする。
この場合、図２（ｂ）に例示するように、リンク接続の確立が成功した無線部２（＃１）及び無線部２（＃２）からは接続情報が得られるので、無線部２（＃１）及び無線部２（＃２）に係る無線部データの「状態」が“接続”に更新される一方、リンク接続の確立が失敗した無線部２（＃３）〜無線部２（＃ｎ）からは接続情報が得られないため、無線部２（＃３）〜無線部２（＃ｎ）に係る無線部データの「状態」は“未接続”のままとなる。
【００３７】
無線部データの「状態」が“未接続”の無線部２（本例では無線部２（＃３）〜無線部２（＃ｎ））については、定期的に上記の処理が繰り返され、リンク接続の確立が成功して接続情報が得られた段階で、その無線部２に係る無線部データの「状態」が“接続”に更新される。
【００３８】
なお、システム構成管理テーブル１１の記憶内容と実際のシステム構成とが整合しているとは限られないので、本例のシステム構成管理処理部１２では、無線部２からの接続情報により把握される実際のシステム構成とシステム構成管理テーブル１１の記憶内容との整合性を判定し、不整合と判定された場合には、受信した接続情報の内容（実際のシステム構成）に整合するようにシステム構成管理テーブル１１の記憶内容を更新する処理も行うようにしている。
これらの処理を、図６に例示する処理フローを参照して説明する。
【００３９】
図６には、上位装置１の起動時におけるシステム構成管理処理部１２の処理フローを例示してある。
上位装置１の起動時において、システム構成管理処理部１２は、システム構成管理テーブル１１を参照し、全ての段の無線部データに基づいて、全ての段の無線部２に対するリンク接続の確立を要求する接続確立要求を一斉に送信し（ステップＳ３１）、各無線部２とのリンク接続の確立を行い（ステップＳ３２）、リンク接続が確立した無線部２から送信される接続情報を受信する（ステップＳ３３）。
【００４０】
システム構成管理処理部１２は、無線部２から接続情報を受信すると、システム構成管理テーブル１１内の先頭（カスケード接続の上位側）から順に無線部データを参照して、当該接続情報に含まれるＩＰアドレス（或いはＩＤ）が設定された無線部データが存在するかを判定し、該当する無線部データを検索する（ステップＳ３４〜ステップＳ３６）。
この検索処理の結果、該当する無線部データが検索された場合には、受信した接続情報に含まれるＩＰアドレス及びＩＤと当該検索された無線部データの内容（「ＩＰ」及び「ＩＤ」の設定値）とが整合するか（ＩＰアドレスとＩＤの対応が一致するか）を判定する（ステップＳ３７）。
【００４１】
ステップＳ３７において整合すると判定された場合には、該当する無線部データの「状態」の設定値を“接続”に更新して、次に受信した接続情報についての処理へと移る。
一方、ステップＳ３７において整合しないと判定された場合には、受信した接続情報に含まれるＩＰアドレスとＩＤとを対応付けた内容に、該当する無線部データの「ＩＰ」及び「ＩＤ」の設定値を更新し（ステップＳ３８）、当該無線部データの「状態」の設定値を“接続”に更新して、次に受信した接続情報についての処理へと移る。
【００４２】
なお、接続情報の応答が得られなかった無線部データについては、当該無線部データの「状態」は“未接続”のままとなる。
ここで、無線部２の動作に不具合が生じた場合等を考慮して整合性の判定を二重に行った後に、無線部データの「ＩＰ」及び「ＩＤ」の設定値を更新するようにしてもよい。
また、検索処理の結果、該当する無線部データが検索されなかった場合には、新たな無線部データを生成し、受信した接続情報に含まれるＩＰアドレス及びＩＤを当該無線部データの「ＩＰ」及び「ＩＤ」に設定し、当該無線部データの「状態」に“接続”を設定して、システム構成管理テーブル１１に追加（記憶）させるようにしてもよい。
【００４３】
以上のように、本例では、上位装置１が、カスケード接続された無線部２毎に、カスケード接続における接続位置（段）を示す段情報と、当該無線部２のＩＤと、当該無線部２のＩＰアドレスとを対応付けて記憶するシステム構成管理テーブル１１を有し、システム構成管理テーブル１１の記憶内容に基づいて、カスケード接続された各無線部に対して接続確立要求を一斉に送信し、当該接続確立要求に基づいてリンク接続が確立された無線部２から接続情報を受信し、当該接続情報に含まれるＩＤ及びＩＰアドレス並びに当該接続情報を受信した順序とシステム構成管理テーブル１１の記憶内容とが整合するかを判定するようにした。
【００４４】
また、リンク接続が確立された無線部２から送信された接続情報に含まれるＩＤ及びＩＰアドレス並びに当該接続情報を受信した順序とシステム構成管理テーブル１１の記憶内容とが不整合の場合には、当該接続情報を受信した順序により特定される接続位置の無線部について、当該接続情報に含まれるＩＤとＩＰアドレスとを対応付けた内容にシステム構成管理テーブル１１の記憶内容を更新するようにした。
【００４５】
（動作例３）
上位装置１の起動時の動作例について説明する。
初回起動時のシステム構成管理テーブル１１は、全て空（或いは、未設定を表す規定値（例えば、ＡＬＬ０））であるものとする。すなわち、各無線部２のＩＰアドレスやＩＤ等は未設定である。
【００４６】
図７には、上位装置１の起動時における処理シーケンスを例示してある。
上位装置１では、システム構成管理処理部１２が、自システム内のネットワークに対して接続確立要求をブロードキャストで送信する。接続確立要求に基づいてリンク接続が確立した無線部２（カスケード接続された各無線部２）からは、その無線部２に記憶（保持）されているＩＰアドレス及びＩＤを含む接続情報が上位装置１に対して送信される。
【００４７】
上位装置１のシステム構成管理処理部１２は、接続情報の受信を接続確立要求のブロードキャスト送信から一定時間待機しており、この待機時間内に接続情報を受信すると、同一ネットワーク内の無線部２からの接続情報であるかを判別し、同一ネットワーク内の無線部２（カスケード接続された各無線部２）からの接続情報である場合には、当該接続情報に基づく無線部データを生成してシステム構成管理テーブル１１に追加（記憶）する。
【００４８】
なお、カスケード接続における上位側（上位装置１側）の段から順にリンク接続が確立されるので、各無線部２からの接続情報も同様に上位側の段から順に送信されることになる。そこで、上位装置１では、最初に受信した接続情報に係る無線部データの「段」に“１”を設定し、次に受信した接続情報に係る無線部データの「段」に“２”を設定するというように、接続情報を受信する毎に１ずつ増加する値を「段」に設定する。また、各無線部データの「ＩＰ」及び「ＩＤ」には、対応する接続情報に含まれるＩＰアドレス及びＩＤを設定し、「状態」には“接続”を設定する。
【００４９】
図２（ｃ）には、以上の処理を行った結果のシステム構成管理テーブル１１の設定例を示してある。本例では、無線部２（＃１）〜無線部２（＃ｎ）のｎ個の無線部２に係るｎ件の無線部データが設定されている。
【００５０】
図８には、上位装置１の起動時におけるシステム構成管理処理部１２の処理フローを例示してある。
上位装置１の起動時において、システム構成管理処理部１２は、自システム内のネットワークに対して接続確立要求をブロードキャストで送信し（ステップＳ５１）、カスケード接続された各無線部２とのリンク接続の確立を行い（ステップＳ５２）、リンク接続が確立した無線部２から送信される接続情報を受信する（ステップＳ５３）。
【００５１】
システム構成管理処理部１２は、無線部２から接続情報を受信すると、システム構成管理テーブル１１内の先頭（カスケード接続の上位側）から順に無線部データを参照して、当該接続情報に含まれるＩＰアドレス（或いはＩＤ）が設定された無線部データが存在するかを判定し、該当する無線部データを検索する（ステップＳ５４〜ステップＳ５６）。
この検索処理の結果、該当する無線部データが検索されなかった場合には、受信した接続情報に基づいて無線部データを生成してシステム構成管理テーブル１１に追加し（ステップＳ５７）、次に受信した接続情報についての処理へと移る。
一方、検索処理の結果、該当する無線部データが検索された場合には、受信した接続情報に含まれるＩＰアドレス及びＩＤと当該検索された無線部データの内容（「ＩＰ」及び「ＩＤ」の設定値）とが整合するか（ＩＰアドレスとＩＤの対応が一致するか）を判定する（ステップＳ５８）。
【００５２】
ステップＳ５８において整合すると判定された場合には、次に受信した接続情報についての処理へと移る。
一方、ステップＳ５８において整合しないと判定された場合には、受信した接続情報に含まれるＩＰアドレスとＩＤとを対応付けた内容に、該当する無線部データの「ＩＰ」及び「ＩＤ」の設定値を更新し（ステップＳ５９）、次に受信した接続情報についての処理へと移る。なお、無線部２の動作に不具合が生じた場合等を考慮して整合性の判定を二重に行った後に、無線部データの「ＩＰ」及び「ＩＤ」の設定値を更新するようにしてもよい。
【００５３】
以上のように、本例では、上位装置１が、カスケード接続された無線部２毎に、カスケード接続における接続位置（段）を示す段情報と、当該無線部２のＩＤと、当該無線部２のＩＰアドレスとを対応付けて記憶するシステム構成管理テーブル１１を有し、カスケード接続された各無線部２に対して接続確立要求をブロードキャストで送信し、当該接続確立要求に基づいてリンク接続が確立された無線部２から接続情報を受信し、当該接続情報を受信した順序により特定される接続位置を示す段情報と当該接続情報に含まれるＩＤと当該接続情報に含まれるＩＰアドレスとを対応付けてシステム構成管理テーブル１１に記憶させるようにした。
【００５４】
（動作例４）
システム運用中（（動作例１）〜（動作例３）で説明した起動時処理を終えた後）の上位装置１の動作例について説明する。
システム運用中のシステム構成管理テーブル１１は、図２（ｃ）に例示するような設定内容となっているものとする。すなわち、上位装置１の起動時処理を行った結果、各段の無線部データの「ＩＰ」及び「ＩＤ」には、その段に実際に接続されている無線部２のＩＰアドレス及びＩＤが設定されており、各段の無線部データの「状態」には、“接続”が設定されている。
【００５５】
図９には、システム運用中の処理シーケンスを例示してある。
上位装置１では、システム構成管理処理部１２が、システム構成管理テーブル１１を参照し、全ての段の無線部２に対してシステム構成管理テーブル１１の記憶内容（無線部データの全件）を送信する。各無線部２は、上位装置１から受信した内容を記憶する。
なお、図２（ｂ）に例示するように、通信が不可能な状態（無線部データの「状態」が“未接続”）の無線部２が存在する場合には、これらの無線部２にはシステム構成管理テーブル１１の記憶内容は送信されず、通信が可能な状態（無線部データの「状態」が“接続”）の無線部２にのみ送信される。
これにより、システム構成管理テーブル１１の記憶内容を受信した無線部２は、カスケード接続における自身の接続位置（段）、周辺（上位や下位）の無線部２の情報などを管理、認識することができ、周辺の無線部２間でデータの送受信を行える。
【００５６】
以上のように、本例では、上位装置１が、カスケード接続された無線部２毎に、カスケード接続における接続位置（段）を示す段情報と、当該無線部２のＩＤと、当該無線部２のＩＰアドレスとを対応付けて記憶するシステム構成管理テーブル１１を有し、全ての段の無線部２に対してシステム構成管理テーブル１１の記憶内容を送信するようにした。
【００５７】
（動作例５）
システム運用中（（動作例１）〜（動作例３）で説明した起動時処理を終えた後）の上位装置１の動作例について説明する。
システム運用中のシステム構成管理テーブル１１は、図２（ｃ）に例示するような設定内容となっているものとする。すなわち、上位装置１の起動時処理を行った結果、各段の無線部データの「ＩＰ」及び「ＩＤ」には、その段に実際に接続されている無線部２のＩＰアドレス及びＩＤが設定されており、各段の無線部データの「状態」には、“接続”が設定されている。
【００５８】
図１０には、システム運用中の処理シーケンスを例示してある。
上位装置１では、システム構成管理処理部１２が、一定周期毎に、システム構成管理テーブル１１を参照し、全ての段の無線部２（無線部データの「状態」が“未接続”の無線部２を含む）に対してリンク接続の接続確認要求を送信する。接続確認要求を受信した無線部２（接続確認要求で指定されたＩＰアドレスの無線部２）からは、その無線部２に記憶（保持）されているＩＰアドレス及びＩＤを含む接続応答が上位装置１に対して送信される。
【００５９】
ここで、図１０に示されるように、暫くの間は、全ての無線部２から接続応答が得られていたものの、或る時点において無線部２（＃３）からの接続応答が得られなかったとする。
このとき、上位装置１のシステム構成管理処理部１２は、無線部２（＃３）に対してリンク接続の接続確認要求を再度送信し、当該接続確認要求に対しても接続応答が得られなかった場合には、無線部２（＃３）とのリンク接続が切断されたと判定し、無線部２（＃３）及びこれより下位の各無線部２（すなわち、無線部２（＃３）〜無線部２（＃ｎ））に対してリンク接続の切断要求を送信する。切断要求を受信した各無線部２は、上位装置１（及び上位又は下位の無線部２）とのリンク接続の切断処理を行う。
また、上位装置１のシステム構成管理処理部１２は、切断要求を送信した無線部２（本例では無線部２（＃３）〜無線部２（＃ｎ））に係る無線部データの「状態」の設定値を“未接続”に更新する。
【００６０】
すなわち、本例では、或る無線部２がカスケード接続からの取り外し等により当該無線部２とのリンク接続が切断された結果として接続応答が得られなかった場合や、当該無線部２とのリンク接続は確立されているものの何らかの事情で接続応答が得られなかった場合などには、当該無線部２との通信に加えて当該無線部２の配下（下位）に接続されている無線部２との通信ができなくなるので、上位装置１では、システム構成管理テーブル１１を基に、リンク接続が切断された無線部２及びこれより下位の無線部２に対してリンク接続の切断要求を送信し、システム構成管理テーブル１１中の該当する無線部データの「状態」を“未接続”に更新している。
【００６１】
以上のように、本例では、上位装置１が、カスケード接続された無線部２毎に、カスケード接続における接続位置（段）を示す段情報と、当該無線部２のＩＤと、当該無線部２のＩＰアドレスと、当該無線部２との通信が可能な状態か否かを示す状態情報とを対応付けて記憶するシステム構成管理テーブル１１を有し、システム構成管理テーブル１１の記憶内容に基づいて、カスケード接続された各無線部２に対してリンク接続の接続確認要求を送信し、当該接続確認要求に対応する接続応答を該当する無線部２から受信し、当該接続確認要求が送信された無線部２からの接続応答がない場合に、システム構成管理テーブル１１の記憶内容に基づいて、接続応答がない無線部２及び当該無線部２より下位の接続位置の各無線部２に対するリンク接続の切断要求を送信し、これらの無線部２について、通信が不可能な状態を示す内容にシステム構成管理テーブル１１を更新するようにした。
【００６２】
（動作例６）
システム運用中（（動作例１）〜（動作例３）で説明した起動時処理を終えた後）の上位装置１の動作例について説明する。
システム運用中のシステム構成管理テーブル１１は、図２（ｂ）に例示するような設定内容となっているものとする。すなわち、上位装置１の起動時処理を行った結果、各段の無線部データの「ＩＰ」及び「ＩＤ」には、その段に実際に接続されている（或いは接続される予定の）無線部２のＩＰアドレス及びＩＤが設定されており、上位２つの無線部２（すなわち、無線部２（＃１）及び無線部２（＃２））に係る無線部データの「状態」には“接続”が設定され、それより下位の無線部２（すなわち、無線部２（＃３）〜無線部２（＃ｎ））無線部データに係る「状態」には“未接続”が設定されている。
【００６３】
図１１には、システム運用中の処理シーケンスを例示してある。
上位装置１では、システム構成管理処理部１２が、一定周期毎に、システム構成管理テーブル１１を参照し、全ての段の無線部２（無線部データの「状態」が“未接続”の無線部２を含む）に対してリンク接続の接続確認要求を送信する。接続確認要求を受信した無線部２（接続確認要求で指定されたＩＰアドレスの無線部２）からは、その無線部２に記憶（保持）されているＩＰアドレス及びＩＤを含む接続応答が上位装置１に対して送信される。本例では、無線部２（＃１）及び無線部２（＃２）からの接続応答は得られるものの、無線部２（＃３）〜無線部２（＃ｎ）からの接続応答は得られない。
【００６４】
ここで、図１１に示されるように、暫くの間は、無線部２（＃３）〜無線部２（＃ｎ）からの接続応答が得られてなかったものの、或る時点において無線部２（＃３）〜無線部２（＃ｎ）からの接続応答も得られるようになったとする。
このとき、上位装置１のシステム構成管理処理部１２は、無線部データの「状態」が“未接続”となっている無線部２からの接続応答を受信した場合、当該無線部２が追加（或いは再接続）されたと認識し、当該無線部データの「状態」を“接続”に更新する。
【００６５】
なお、無線部データの「状態」が“未接続”の無線部２に対しては接続確立要求を送信し、当該接続確立要求に基づくリンク接続の確立後に送信される接続情報を受信した場合に、当該無線部２が追加（或いは再接続）されたと認識し、当該無線部データの「状態」を“接続”に更新するようにしてもよい。
また、接続確認要求に対応して各無線部２から送信される接続応答に含まれているＩＤ及びＩＰアドレスに基づいて、該当する無線部データの整合性を判定し、当該無線部データを更新したり、該当する無線部データが存在しない場合に新たに無線部データを生成してシステム構成管理処理部１２に追加したりしてもよい。
【００６６】
以上のように、本例では、上位装置１が、カスケード接続された無線部２毎に、カスケード接続における接続位置（段）を示す段情報と、当該無線部２のＩＤと、当該無線部２のＩＰアドレスと、当該無線部との通信が可能な状態か否かを示す状態情報とを対応付けて記憶するシステム構成管理テーブル１１を有し、システム構成管理テーブル１１の記憶内容に基づいて、カスケード接続された各無線部２に対してリンク接続の接続確認要求を送信し、当該接続確認要求に対応する接続応答を該当する無線部２から受信し、通信が不可能な状態を示す状態情報が前記システム構成管理テーブル１１に記憶されている無線部２から接続応答を受信した場合に、当該無線部２について、通信が可能な状態を示す内容にシステム構成管理テーブル１１を更新するようにした。
【００６７】
本例の無線システムでは、（動作例１）〜（動作例６）で説明したような処理により、上位装置１のシステム構成管理テーブル１１の記憶内容は、実際のシステム構成の変化に追従して自動的に更新されることになる。つまり、無線部２の追加、削除、再接続等が行われた場合でも、新たなシステム構成に一致する内容にシステム構成管理テーブル１１が更新されるので、上位装置１によりシステム構成の管理を効果的に行える。
なお、上記の説明では、上位装置１に対して全ての無線部２が直列に接続された構成（１系列のカスケード接続）について説明したが、上位装置に複数のポートを設け、各ポートにそれぞれ複数の無線部が直列に接続された構成（複数系列のカスケード接続）としてもよく、各ポートを識別するポート番号等によりカスケード接続の系列を区別して処理を行うようにすればよい。
【符号の説明】
【００６８】
１：上位装置、  ２：無線部、
１１：システム構成管理テーブル、  １２：システム構成管理処理部
【図１】
0005763959.tif 000002
【図２】
0005763959.tif 000003
【図３】
0005763959.tif 000004
【図４】
0005763959.tif 000005
【図５】
0005763959.tif 000006
【図６】
0005763959.tif 000007
【図７】
0005763959.tif 000008
【図８】
0005763959.tif 000009
【図９】
0005763959.tif 000010
【図１０】
0005763959.tif 000011
【図１１】
0005763959.tif 000012